(57)【要約】【課題】  十分な空気を燃焼室内に供給することができ、空気量の調節範囲が広い薪ストーブを提案する。【解決手段】  胴体部１０を横置きとし、胴体部１０の前面に薪の投入口１７を形成し、投入口１７に左右一対の開閉扉２０ａ、２０ｂを設け、一方の開閉扉２０ａの開き側縁部に、他方の開閉扉２０ｂの開き側縁部の上に重なるオーバーラップ部２１を形成し、両開閉扉２０ａ、２０ｂに給気孔２２を形成し、導入孔２６を形成した回動板２５を両開閉扉２０ａ、２０に回転可能に取り付け、回動板２５の回転操作で給気孔２２と導入孔２６の重なり面積を可変操作可能とし、オーバーラップ部２１を形成していない開閉扉２０ｂの下縁に雄ネジ部材３０を螺設し、雄ネジ部材３０の下端を投入口１７の縁枠１８に当接させ、雄ネジ部材３０の回転操作で、両開閉扉２０ａ、２０の開き側縁部が縁枠１８から浮上して縁枠１８との間に間隙を形成可能とする。【選択図】  図２
2013139956.tif 000002
【特許請求の範囲】
【請求項１】
薪の燃焼室である胴体部１０を横置きとし、胴体部１０の前面に薪の投入口１７を形成した薪ストーブにおいて、
投入口１７に見開きの左右一対の開閉扉２０ａ、２０ｂを設け、一方の開閉扉２０ａの開き側縁部に、他方の開閉扉２０ｂの開き側縁部の上に重なるオーバーラップ部２１を形成し、
両開閉扉２０ａ、２０ｂに給気孔２２を形成し、この給気孔２２に適応した導入孔２６を形成した回動板２５を両開閉扉２０ａ、２０に回転可能に取り付け、回動板２５の回転操作で給気孔２２と導入孔２６の重なり面積を可変操作可能とし、
オーバーラップ部２１を形成していない開閉扉２０ｂの下縁に雄ネジ部材３０を螺設し、雄ネジ部材３０の下端を投入口１７の縁枠１８に当接させ、雄ネジ部材３０の回転操作で、両開閉扉２０ａ、２０の開き側縁部が縁枠１８から浮上して縁枠１８との間に間隙を形成可能としたことを特徴とする薪ストーブ。
【発明の詳細な説明】
【技術分野】
【０００１】
この発明は、燃料として薪を用いて暖を得る薪ストーブに関するものである。
【背景技術】
【０００２】
中空の胴体を横置きとし、胴体前面から燃料である薪を投入して燃焼させる構造の薪ストーブがある。この薪ストーブは、小型、軽量に製作されて可搬性を有し、４本の足を設けて全体を動物形状とするなどして意匠的にも面白味がある。
【０００３】
こうした動物形状に形成した薪ストーブとして、特許文献１に示す構造のものがある。この薪ストーブは、胴体（ドラム本体）前面の薪の投入口に開閉蓋を設け、開閉蓋に開閉扉を設けて吸気導入部とし、この吸気導入部を、開閉扉の前面に固定したベース板とこれに回転自在に中心支持した回動円板で形成している。そして、ベース板に２個の吸気孔を形成し、回動円板に導入孔を形成し、回動円板を回転操作することで、導入孔と吸気孔の重なり面積を可変し、燃焼空気の供給量を調節可能としたものである。
【先行技術文献】
【特許文献】
【０００４】
【特許文献１】実用新案登録第３１５２０１０号公報
【発明の概要】
【発明が解決しようとする課題】
【０００５】
燃料として薪を用いた薪ストーブでは、薪の初期燃焼時や多量の薪の燃焼時に、大量の燃焼空気を要し、十分な空気を燃焼室内に供給する必要がある。特許文献１に示す構造のように、ベース板の吸気孔の開度を平面的に調節するだけでは、大量の燃焼空気を供給する手段としては必ずしも十分ではない。
【０００６】
この発明は、こうした課題を解決することを目的とするもので、燃料として薪を用いた薪ストーブにおいて、薪の初期燃焼時や多量の薪の燃焼時に、十分な空気を燃焼室内に供給することができ、空気量の調節範囲が広い薪ストーブを提案することを目的とするものである。また、調節操作が簡単で操作性に優れるとともに、意匠的にも面白味がある薪ストーブを提案することをも目的とするものである。
【課題を解決するための手段】
【０００７】
上記の目的を達成するため、この発明は、薪の燃焼室である胴体部１０を横置きとし、胴体部１０の前面に薪の投入口１７を形成した薪ストーブにおいて、投入口１７に見開きの左右一対の開閉扉２０ａ、２０ｂを設け、一方の開閉扉２０ａの開き側縁部に、他方の開閉扉２０ｂの開き側縁部の上に重なるオーバーラップ部２１を形成し、両開閉扉２０ａ、２０ｂに給気孔２２を形成し、この給気孔２２に適応した導入孔２６を形成した回動板２５を両開閉扉２０ａ、２０に回転可能に取り付け、回動板２５の回転操作で給気孔２２と導入孔２６の重なり面積を可変操作可能とする。そして、オーバーラップ部２１を形成していない開閉扉２０ｂの下縁に雄ネジ部材３０を螺設し、雄ネジ部材３０の下端を投入口１７の縁枠１８に当接させ、雄ネジ部材３０の回転操作で、両開閉扉２０ａ、２０の開き側縁部が縁枠１８から浮上して縁枠１８との間に間隙を形成可能としたことを特徴とするものである。
【発明の効果】
【０００８】
この発明の薪ストーブは、薪の投入口１７に設けた左右一対の開閉扉２０ａ、２０ｂに給気孔２２を形成し、導入孔２６を形成した回動板２５を両開閉扉２０ａ、２０に回転可能に取り付け、回動板２５の回転操作で給気孔２２と導入孔２６の重なり面積を可変操作可能とするとともに、雄ネジ部材３０の回転操作で、両開閉扉２０ａ、２０の開き側縁部が投入口１７の縁枠１８から浮上して縁枠１８との間に間隙を形成可能としたので、給気孔２２と導入孔２６が重なる開孔部分のみならず、縁枠１８との間に形成された間隙からも燃焼空気が燃焼室内に供給され、薪の初期燃焼時や多量の薪の燃焼時に、十分な空気を燃焼室内に供給することができる。
【０００９】
また、給気孔２２と導入孔２６の重なり面積と、縁枠１８との間の間隙を可変することで、燃焼室内に供給する空気量を自在に調節可能であり、空気量の調節範囲が極めて広く、空気量の調節は回動板２５と雄ネジ部材３０の回転操作で行われ、調節操作が簡単で操作性に優れるものである。
【００１０】
また、この発明の薪ストーブは、構造が簡単で小型、軽量、安価に製作されるとともに、オーバーラップ部２１が鼻筋、２個の回動板２５が目となり、正面から動物の顔に見立てられ、胴体部１０が動物の胴体となり、４本の足を設けて全体が動物形状となり、意匠的にも面白味を有するものである。
【図面の簡単な説明】
【００１１】
【図１】この発明の薪ストーブの実施例で、側面図。
【図２】正面図。
【図３】背面図。
【図４】平面図。
【図５】操作具の平面図。
【図６】操作具を用いた開閉扉の開閉操作を説明する斜視図。
【図７】開閉扉を開いた状態の正面図。
【図８】オーバーラップ部を形成した開閉扉の平面図。
【図９】回動板の平面図。
【図１０】操作具を用いた回動板の回転操作を説明する斜視図。
【図１１】給気孔と導入孔の重なり程度を示す開閉扉の平面図で、（Ａ）給気孔と導入孔が全て重なった全開状態、（Ｂ）給気孔と導入孔の重なり面積を半分ほどに絞った状態。
【図１２】雄ネジ部材の平面図。
【図１３】雌ネジ孔を形成した部分の開閉扉の断面図。
【図１４】雌ネジ孔を形成する代わりに雌ネジ部材を接合した開閉扉の断面図。
【図１５】雄ネジ部材を螺設した部分の開閉扉の断面図。
【図１６】操作具を用いた雄ネジ部材の回転操作を説明する斜視図。
【図１７】雄ネジ部材を螺設した部分の開閉扉の断面図で、雄ネジ部材を回転操作した状態。
【図１８】両開閉扉の開き側縁部が縁枠から浮上して縁枠との間に間隙を形成した状態の斜視図。
【発明を実施するための形態】
【００１２】
以下にこの発明の実施形態について、図面の実施例を用いて具体的に説明する。図示の薪ストーブは、所定形状に切断した鋼板を組み立て、接合し、耐熱塗料で塗装して製作され、中空角形の胴体部１０の四隅に足１１を設けて横置きとされ、胴体部１０の前面に開口した薪の投入口１７を形成し、投入口１７から投入された薪を胴体部１０内で燃焼させ、胴体部１０を薪の燃焼室とした構造である。胴体部１０の前面に、薪の投入が容易となるように、投入口１７を上側に向いた傾斜面とするための傾斜投入室１２が形成され、胴体部１０の後面には排気口１３を突設した排気室１４が形成されている。胴体部１０の両側縁上端に取っ手１５が形成され、この薪ストーブは可搬性を有する。
【００１３】
見開きの左右一対の開閉扉２０ａ、２０ｂが投入口１７に設けられ、一方の開閉扉２０ａの開き側縁部に、他方の開閉扉２０ｂの開き側縁部の上に重なるオーバーラップ部２１が形成されている。図８に示すように、両開閉扉２０ａ、２０ｂに放射状に配列した複数の給気孔２２が形成され、放射状配列の中心位置に通孔２３が形成されている。図９に示すように、給気孔２２に適応した導入孔２６を同様に放射状に複数配列した回動板２５が形成され、回動板２５の中心に上部を曲げたＬ字軸２７が接合され、Ｌ字軸２７が通孔２３を貫通し、回動板２５が両開閉扉２０ａ、２０ｂに回転可能に取り付けられている。
【００１４】
両開閉扉２０ａ、２０ｂの下縁に、下方向へ突設した状態のリング２８が接合され、後述する操作具４０を用いて開閉扉２０ａ、２０ｂが開閉操作され、傾斜投入室１２の左右側板に、開いた状態の開閉扉２０ａ、２０ｂが当接する取っ手形状のストッパー２９が形成されている。
【００１５】
図１２に示すように、軸部分に雄ネジを形成し、上部を曲げたＬ字状の雄ネジ部材３０が形成され、図１３に示すように、オーバーラップ部２１を形成していない開閉扉２０ｂの下縁に雌ネジ孔３１が形成されている。なお、図１４に示すように、開閉扉２０ｂに雌ネジ孔３１を形成する代わりに、開閉扉２０ｂにただの通孔３１ａを形成し、雌ネジ孔を形成した雌ネジ部材３１ｂ（ナット）を開閉扉２０ｂの該当箇所に接合してもよい。この雌ネジ孔３１に雄ネジ部材３０が螺設され、図１５に示すように、雄ネジ部材３０の下端が投入口１７の縁枠１８に当接されている。
【００１６】
この薪ストーブの様々な操作に用いる操作具４０を図５に示す。操作具４０は棒状に形成され、一端に鍵状のフック４１が突設され、他端に短筒４２が横方向へ延びた状態で接合され、高温となった開閉扉２０ａ、２０ｂの様々な操作に用いられる。以下に、この操作具４０を用いた具体的操作について説明する。
【００１７】
両開閉扉２０ａ、２０ｂの開閉操作は、図６に示すように、フック４１をリング２８に掛けて行われる。開いた状態の開閉扉２０ａ、２０ｂは、図７に示すように、ストッパー２９に当接して係止され、投入口１７が開口し、燃料である薪が胴体部１０内へ投入される。
【００１８】
回動板２５の回転操作は、図１０に示すように、短筒４２をＬ字軸２７に嵌めて行う。回動板２５の回転で給気孔２２と導入孔２６の重なり面積が可変する。図１１（Ａ）は、給気孔２２と導入孔２６が全て重なった全開状態で、図１１（Ｂ）は、回動板２５を回転操作し、給気孔２２と導入孔２６の重なり面積を半分ほどに絞った状態である。このようにして、燃焼状態に応じて、回動板２５の回転操作で給気孔２２と導入孔２６の重なり面積を可変操作する。
【００１９】
雄ネジ部材３０の回転操作は、図１６に示すように、短筒４２を雄ネジ部材３０に嵌めて行う。雄ネジ部材３０の下端が投入口１７の縁枠１８に当接しているので、雄ネジ部材３０の回転に伴い、オーバーラップ部２１を形成していない開閉扉２０ｂが回動し（図１７参照）、開閉扉２０ｂの開き側縁部がオーバーラップ部２１を駆動してオーバーラップ部２１を形成した開閉扉２０ａを回動させ、両開閉扉２０ａ、２０の開き側縁部が縁枠１８から浮上し、縁枠１８との間に間隙が形成される（図１８参照）。この間隙から燃焼空気が胴体部１７内に供給される。
【００２０】
以上説明したように、この実施例の薪ストーブは、燃焼状態に応じて、給気孔２２と導入孔２６の重なり面積と、縁枠１８との間の間隙を可変することで、空気量を自在に調節可能であり、こうした空気量の調節操作も操作具４０を用いて簡単に行うことができる。また、胴体部１０が角形であるから上面が平坦面であり、湯沸かしや加熱料理の調理に使用することもでき、小型、軽量で可搬性を有し、オーバーラップ部２１が鼻筋、２個の回動板２５が目となり、正面から動物の顔に見立てられ、胴体部１０が動物の胴体、排気室１４から排気口１３が尻から尾に見立てられ、外観が４本の足１１で立った動物形状となり、意匠的にも面白味を有するものである。
【符号の説明】
【００２１】
１０  胴体部
１７  投入口
１８  縁枠
２０ａ、２０ｂ  開閉扉
２１  オーバーラップ部
２２  給気孔
２６  導入孔
２５  回動板
３０  雄ネジ部材
【図１】
2013139956.tif 000003
【図２】
2013139956.tif 000004
【図３】
2013139956.tif 000005
【図４】
2013139956.tif 000006
【図５】
2013139956.tif 000007
【図６】
2013139956.tif 000008
【図７】
2013139956.tif 000009
【図８】
2013139956.tif 000010
【図９】
2013139956.tif 000011
【図１０】
2013139956.tif 000012
【図１１】
2013139956.tif 000013
【図１２】
2013139956.tif 000014
【図１３】
2013139956.tif 000015
【図１４】
2013139956.tif 000016
【図１５】
2013139956.tif 000017
【図１６】
2013139956.tif 000018
【図１７】
2013139956.tif 000019
【図１８】
2013139956.tif 000020